(57)【特許請求の範囲】
【請求項１】
肘部（５３）によって分割された水平アーム５１及び垂直アーム５２を有した、関節でつながった持ち上げ支柱５を駆動する２つの駆動ピニオン（４）が取りつけられたハウジング（１）と、持ち上げ支柱５は、関節でつながった平行な２枚の側面（６１、６２）を含み、前記２枚の側面（６１、６２）はその面に対して横断方向に向いた連結シャフト（７）によって連結され、連結シャフト（７）は駆動ピニオン（４）と協働し、各々の側面（６１、６２）は、同一列（９、９’）内で端と端をつないで位置されると共に、一方の列（９）が他の列（９’）に長手方向にオフセットする矩形状のプレート（１０）の２つの隣接する列（９、９’）からなり、各々のプレート（１０）は、一方では、連結シャフト（７）を支持する穴（１２）を有する２つの主要面（１１）であって、１つの列（９）のプレート（１０）の一枚の作用によって隣接する列（９’）のプレート（１０）に対して作動し、他方では、４つの端面（１３、１４）、即ち、持ち上げ支柱（５）の肘部（５３）に対して一方が内側で他方が外側の２つの縦端面（１３１、１３２）と、プレートを含む持ち上げ支柱（５）の部分が垂直方向に延びたとき同一列（９、９’）の隣り合うプレート（１０）の前後の作用面に対して各々支持するように移動する前作用面と後作用面を規定する２つの側端面（１４）と、でなることを特徴とする、長い距離にわたって荷重が持ち上げられることができるように、垂直スラスト力を伝達するように設計された持ち上げ装置。
【請求項２】
プレート（１０）は、１つの列（９）から隣接する列（９）へそれらの長さ（ｌ）の半分と同一のピッチ（ｐ）でオフセットしていることを特徴とする請求項１記載の持ち上げ装置。
【請求項３】
プレート（１０）は全て同一であることを特徴とする請求１又は２のいずれかに記載の持ち上げ装置。
【請求項４】
各々のプレート（１０）は、二等辺三角形の配置で各々並べられた３本の連結シャフト（７）を支持する３個の穴（１２）を有し、それらの穴（１２）は即ち、外側の縦端面（１３１）に近接し且つプレート１０の幅方向軸（ｘ、ｘ’）上に中央になるように配置される１個の駆動穴（１２１）と、この軸（ｘ、ｘ’）の両側に対称でかつ内側の縦端面（１３２）に近接して配置される２個の関節穴（１２２、１２’２）であり、持ち上げ支柱（５）の同じ側面（６１、６２）の２つの隣接する列（９、９’）にあるプレート（１０）の関節穴（１２２、１２’２）は一方が他方の上になるように一対配置されることを特徴とする請求項１乃至３のいずれかに記載の持ち上げ装置。
【請求項５】
持ち上げ支柱（５）の２枚の側面（６１、６２）の連結シャフト（７）は、一方は、２つの各々の隣接する列（９、９’）のプレート（１０）に一方が他方の上になるように一対配置される関節穴（１２２、１２’２）に挿通される関節接合シャフト（７２）に、他方は、２つの隣接する列（９、９’）の一方又は他方のプレート（１０）の駆動穴（１２１）に１つおきに挿通された駆動シャフト（７１）に、かわるがわる分けられることを特徴とする請求項４記載の持ち上げ装置。
【請求項６】
プレート（１０）の側端面（１４）は、解除可能囲い（１５）を形成する半円形の切り欠けを有し、解除可能囲い（１５）は、側端面（１４）が互いに支持している時、駆動シャフト（７１）が挿通できるようにすることを特徴とする請求項５記載の持ち上げ装置。
【請求項７】
プレート（１０）は、持ち上げ支柱５がその肘部（５３）と同じ高さで関節でつながることを可能にするため、内側の縦端面（１３２）の端部で傾斜していることを特徴とする請求項６記載の持ち上げ装置。
【請求項８】
駆動ピニオン（４）は、持ち上げ支柱の外側面でかつ持ち上げ支柱の垂直アーム（５２）の下方部に固定され、プレート（１０）の駆動シャフト（７１）と協働することを特徴とする請求項１乃至７のいずれかに記載の持ち上げ装置。
【発明の詳細な説明】
【０００１】
本発明は持ち上げ装置、より詳しくは、荷重を長い距離にわたって持ち上げられるるように、垂直スラスト力を伝達するように設計された荷重持ち上げ用支柱（コラム）に関する。
【０００２】
この種の支柱は、特に操作架台（プラットフォーム）を直立させるのに適しているが、それに限定されるものではない。
【０００３】
より具体的には、本発明は長い距離にわたって荷重が持ち上げられることができ、製造及び実施が簡単で、また限定された構成部分数のみからなる装置に関する。
【０００４】
このため、本発明は、垂直スラスト力を伝達するように設計された持ち上げ装置に関し、肘部によって分割された水平アーム及び垂直アームを有し関節でつながった持ち上げ支柱を駆動する２つの回転ピニオンが取りつけられたハウジングを備え、持ち上げ支柱は関節でつながった平行な２枚の側面を含み、それらは横断方向に向いた連結シャフトによって連結され、連結シャフトは駆動ピニオンと協働する。
【０００５】
本発明の目的により、各々の側面は、同一列内で端と端をつないで位置されると共に、一方の列が他の列に長手方向にオフセットする矩形状のプレートの２つの隣接する列からなる。
【０００６】
各々のプレートは、一方では、連結シャフトを支持する穴を有する２つの主要面を有し、１つの列のプレートはその一枚の作用によって隣接する列のプレートに対して作動し、他方では、４つの端面、即ち持ち上げ支柱の肘部に対して一方が内側で他方が外側の２つの縦端面と、プレートを含む持ち上げ支柱の部分が垂直方向に延びたとき同一列の隣り合うプレートの前後の作用面に対して各々支持するように移動する前作用面と後作用面を規定する２つの側端面を有する。
【０００７】
本設計による持ち上げ支柱の機能は、ハウジングが動力を伝達しプレートを保持し、垂直方向の圧縮力を受けながら、垂直スラスト力を伝達することである。
【０００８】
本発明によって提案された装置の動作原理は従って、回転移動を平行移動に変換するのに基づいている。この装置は従って関節でつながれたバーにたとえることができる。
【０００９】
この動作原理に基くシステムは、先行技術で知られているジャッキによって作動する昇降システムより長い行程距離に必要な空間が少なくて済む。
【００１０】
本発明によって提案された装置は、事故の場合においてもその信頼性と安全性によって特徴的づけられる。
【００１１】
好ましくは、本発明によって提案されているプレートは、すべて同一であり、かつ一方の列から他方の列にプレートの長さの半分と同一のピッチでオフセットしている。
【００１２】
このことは、持ち上げ支柱上の位置に関係なく、全てのプレートには１台の切断用具のみ必要であり、この簡略化は持ち上げ支柱の原価を著しく下げることを意味することから、本発明の特に有利な特徴である。
【００１３】
明らかに、プレートの寸法と持ち上げ支柱のピッチは、各々の状況及び、与えられた長さの原価を下げる為に与えられた長さに対応させて、それぞれ最適化する必要がある。実際には、ピッチを大きくすれば、必要な部品数は減少するが、ハウジングの空間必要量が大きくなる。
【００１４】
一般にこのピッチは１００ｍｍ程度である。
【００１５】
本発明によって提案された装置のもう一つの利点は、持ち上げ支柱は一方では、（２つの隣接するプレートの列による）その支柱の２つの関節でつながれた面によって、他方では、その支柱の２つの関節でつながれた面の間に連結シャフトが“落とし込まれる”ことによって規定された“閉塞”部を有するという事実が存在する。このことはユニットの安定性を更に良くすることを保証する。
【００１６】
本発明の１つの好ましい特徴によって、各々のプレートは３本の連結シャフトを支持する二等辺三角形の配置で並べられる３個の穴を有する。
【００１７】
これらの穴は、外側の縦端面に近接し且つプレートの幅方向軸上に中央になるように配置される１個の駆動穴と、この軸の両側に対称でかつ内側の縦端面に近接して配置される２個の関節穴である。
【００１８】
持ち上げ支柱の同じ側面の２つの隣接する列にあるプレートの関節穴は一方が他方の上になるように一対配置される。
【００１９】
持ち上げ支柱の２枚の側面の連結シャフトは、一方は、２つの各々の隣接する列のプレートに一方が他方の上になるように一対配置される関節穴に挿通される関節接合シャフトに、他方は、２つの隣接する列の一方又は他方のプレートの駆動穴に１つおきに挿通された駆動シャフトに、かわるがわる分割される。
【００２０】
多くの連結シャフトとそれらの三角形状レイアウトはスラスト力の分配を向上させる。
【００２１】
プレートの側端面は、解除可能囲いを形成する基本的に半円形の切り欠けを有し、解除可能囲いは、側端面が互いに支持している時、駆動シャフトが挿通できるようにする。
【００２２】
本発明のもう一つの特徴によれば、プレートの内側の縦端面は、それらの端部に斜面を有する。
【００２３】
この構造は、持ち上げ支柱がその肘部と同じ高さで関節でつながることを可能とする。
【００２４】
本発明によって提案されたもう１つの特徴の結果、駆動ピニオンは、持ち上げ支柱の外側面でかつ持ち上げ支柱の垂直アームの下方部に固定され、プレートの駆動シャフトと協働する。
【００２５】
駆動ピニオンのこの特有の位置決めは、より良い“固定”効果を生じるため、本発明によって提案された装置のもう一つの基本的な特徴である。それによって持ち上げ支柱の安定性が増す。
【００２６】
支柱の外側面（ピニオン側）に取りつけられたローラは前記支柱の外側面を駆動するものとして機能し、同時に支柱の内側面に取りつけられたローラは前記支柱の内側面を案内するものとして機能する。
【００２７】
本発明によって提案された荷重持ち上げ装置の特徴は添付した図面を参照して更に詳細に説明する。
【００２８】
【発明の実施の形態】
図１に示す持ち上げ装置の目的は、荷重Ｃを長い距離にわたって持ち上げる為に、上方へのスラスト力を矢印Ａ方向へ伝達することである。
【００２９】
この装置は基本的に、一方ではボルト３で連結された２枚のフランジ２を有するハウジング１であり、フランジの一方のみ図１に示してあり、更にフランジに囲まれた２枚のロータリーピニオン４と、他方ではロータリーピニオン４で前方及び後方へ駆動される、関節でつながった持ち上げ支柱５を有し、該支柱５は肘部５３によって分割された水平アーム５１及び垂直アーム５２を有する。
【００３０】
図１乃至図３に図示されているように、持ち上げ支柱５は２枚の平行な関節でつながった面６１、６２から構成されており、それらはその面に対して横断方向に向いた連結シャフト７によって連結されている。連結シャフト７の長手方向外側両端部には駆動ローラ８が設けられ、それらは駆動ピニオン４或いはハウジング１のフランジ２に設けられたガイドレールと協働するガイドローラ８’と協働する。ガイドレールは図面には示していない。駆動ローラ８と案内ローラ８’は連結シャフト７に自由度を持って取りつけられている。
【００３１】
さらに具体的に説明すると、図２及び３から分かるように、面６１、６２の各々は基本的には矩形状のプレート１０の２つの隣接する列９、９’からなり、各々の列は同一のものである。
【００３２】
同一の列９、９’の複数のプレート１０は、隣接する列９’内の列９の隣接するプレート１０同士が各々の長さｌの半分と同一のピッチｐで長手方向にオフセットして端と端をつないで取り付けられている。
【００３３】
図２から更に明確に分かるように、内側の列９のプレート１０の１つのみ明確に示すために点線で示し、プレート１０は、列９、９’内で一方が他方の上で且つ、これらの穴１２のもう一つに対抗して用いられるように全てそれらの主要面１１に穴を有する。それらの穴は、二等辺三角形の配置で並べられて連結シャフト７を支持する。
【００３４】
各々のプレート１０は４つの端面も有し、それらは、一方では２つの縦端面１３１、１３２に分けられ、持ち上げ支柱５の肘部５３に対して１３２が外側にある時、１３１は内側にある。更に他方では２つの側端面１４に分けられる。
【００３５】
側端面１４は、持ち上げ支柱５の垂直アーム５２の同じ列９、９’にある隣接するプレートの後ろ側及び前側作用面に対して各々支持する前側及び後ろ側作用面に対応する。
【００３６】
更に、図２に示されているように、連結シャフト７を支える穴１２は、一方では外側の縦端面１３１に近接する駆動穴１２１に分けられ、プレート１０の幅方向軸ｘ、ｘ’上に中央になるように置かれ、他方ではこの軸ｘ、ｘ’の両側に対称でかつ内側の縦端面１３２に近接して２つの関節穴１２２、１２’２が配置される。
【００３７】
図２から分かるように、持ち上げ支柱５の同じ側面６１、６２の２つの隣接する列９、９’にあるプレート１０の関節穴１２２、１２’２は、一方が他方の上に配置されるように一対設けられる。
【００３８】
更に、図２から分かるように、持ち上げ支柱５の２つの側面６１、６２の連結シャフト７は、一方では駆動ローラ８を支持駆動する駆動シャフト７１に分けられ、他方では案内ローラ８’を支持する、関節接合シャフト７２に分けられる。
【００３９】
駆動シャフト７１は、側面６１、６２の２つの隣接する列９、９’の一方又は他方のプレート１０の駆動穴１２１に１つおきに挿通されている。同時に、関節接合シャフト７２は、２つの隣接する列９、９’の各々にあるプレート１０の一方が他方の上に配置されるように一対設けられる関節穴１２２、１２’２に挿通される。
【００４０】
図３に示されているように、駆動シャフト７１及び関節接合シャフト７２は、２つの側面６１、６２のプレート間に位置付けられたそれらのシャフトの内側部分に、持ち上げ支柱を折り曲げて肘部５３を水平に置くようにするために自由度をもって取りつけられたリターンローラ１４と接触している。同時に、案内ローラ８及び駆動ローラ８’もこれらのプレートの外側に自由度を持って取りつけられている。
【００４１】
図１に示されているように、ピニオン４はハウジング１の持ち上げ支柱５の垂直アーム５２の下方部でかつハウジング１の外側面に固定される。
【００４２】
更に、図２に示されるように、プレート１０の側端面１４は、解除可能囲い１５を形成する基本的に半円形の切り欠けを有し、解除可能囲い１５は、側端面１４が互いに支持しているところの持ち上げ支柱５の水平アーム５１及び垂直アーム５２と同じ高さのところで駆動シャフト７２を支持する。これらの切欠け１５は図４に詳細に示されている。
【００４３】
プレート１０の内側の縦端面１３２も傾斜端部１６を有し、それらは持ち上げ支柱５がその肘部５３と同じ高さで関節でつながるように設けられる。
【図面の簡単な説明】
【図１】ハウジングの頂部フランジを取り外した状態の荷重持ち上げ装置の概略図である。
【図２】持ち上げ支柱の一方の側面の概略正面図である。
【図３】図２の支柱の側面図である。
【図４】切欠きの詳細図である。
【符号の説明】
１ ハウジング
２ フランジ
３ ボルト
４ 回転ピニオン
５ 持ち上げ支柱
５１ 水平アーム
５２ 垂直アーム
５３ 肘部
６１，６２ 側面
７ 連結シャフト
７１ 駆動シャフト
８ 駆動ローラ
８’ 案内ローラ
９，９’ 列
１０ プレート
１１ 主要面
１２ 穴
１２１ 駆動穴
１２２，１２’２ 関節穴
１３，１４ 端面
１３１，１３２ 縦端面
１４ 側端面
１５ 解除可能囲い
１６ 傾斜端部
【図１】
0004615081.tif 000002
【図２】
0004615081.tif 000003
【図３】
0004615081.tif 000004
【図４】
0004615081.tif 000005